(57)【要約】      （修正有）【課題】マルチチャネル無線通信環境において、マルチチャネル・フィードバックを有効または容易にするシステムおよび方法を提供する。【解決手段】キャリア・セットを構築し１１０２、キャリアを、キャリア・セットに属するものとして分類し１１０４、キャリアのチャネル品質を測定するために、キャリア・セットに含まれているすべてのキャリアを代表するものとしてキャリアを利用し１１０６、キャリアのチャネル品質に少なくとも部分的に基づいてＣＱＩを送信する１１０８。ＣＱＩは、キャリア・セットに含まれるすべてのキャリアを代表している。【選択図】図１１
2015046894.tif 000002
【特許請求の範囲】
【請求項１】
マルチチャネル無線通信環境においてマルチチャネル・フィードバックを有効にする方法であって、
キャリア・セットを規定することと、
前記キャリア・セットへキャリアをグループ化することと、
前記キャリアのチャネル品質を測定することと、
前記キャリア・セットのチャネル品質インジケータ（ＣＱＩ）を送信することとを備え、
前記ＣＱＩは、前記キャリアのチャネル品質に少なくとも部分的に基づいている方法。
【請求項２】
前記グループ化することはさらに、アクセス端末への伝送中、前記キャリアが、複数入力複数出力（ＭＩＭＯ）送信パラダイムを適用していたか、あるいは、単一入力複数出力（ＳＩＭＯ）送信パラダイムを利用していたかを確認することを備える請求項１に記載の方法。
【請求項３】
前記グループ化することはさらに、前記キャリアがアクセス端末において受信された周波数帯域を識別することを備える請求項１に記載の方法。
【請求項４】
前記グループ化することはさらに、前記キャリアが基地局から受信された周波数帯域または送信パラダイムに少なくとも部分的に基づいて前記キャリア・セットへキャリアを割り当てることを備える請求項１に記載の方法。
【請求項５】
前記規定することはさらに、前記キャリアによって利用されている周波数帯域または送信パラダイムに少なくとも部分的に基づいて前記キャリア・セットを生成することを備える請求項１に記載の方法。
【請求項６】
前記キャリアをサービス提供基地局から受信することをさらに備える請求項１に記載の方法。
【請求項７】
前記測定することはさらに、前記キャリア・セットに含まれるキャリアのサブセットを、前記キャリア・セットの代表として選択することを備える請求項１に記載の方法。
【請求項８】
前記キャリア・セットに関連付けられた単一のキャリアを識別することと、
前記ＣＱＩを生成するために、前記キャリア・セットに含まれるキャリア全体の代表として、前記単一のキャリアを利用することと
をさらに備える請求項１に記載の方法。
【請求項９】
無線通信装置であって、
キャリア・セットを生成することと、
前記キャリア・セットに属するものとしてキャリアを分類することと、
前記キャリアのチャネル品質を測定するために、前記キャリア・セットに含まれるすべてのキャリアの代表として、前記キャリア・セットに含まれるキャリアのサブセットを利用することと、
前記キャリアのサブセットのチャネル品質に少なくとも部分的に基づいて、チャネル品質インジケータ（ＣＱＩ）を伝搬することと
に関連する命令群を保持するメモリと、
前記メモリに接続され、前記メモリに保持された命令群を実行するように構成されたプロセッサと
を備える無線通信装置。
【請求項１０】
前記メモリはさらに、前記キャリアのサブセットの送信が、複数入力複数出力（ＭＩＭＯ）送信スキームを利用して有効とされたか、あるいは、単一入力複数出力（ＳＩＭＯ）送信スキームを利用して有効とされたかを確認することに関連する命令群を保持する請求項９に記載の無線通信装置。
【請求項１１】
前記メモリはさらに、前記キャリアのサブセットがサービス提供基地局によってブロードキャストされた周波数帯域を確認することに関連する命令群を保持する請求項９に記載の無線通信装置。
【請求項１２】
前記メモリはさらに、前記キャリアのサブセットが、サービス提供基地局からディスパッチされた周波数帯域または送信スキームに少なくとも部分的に基づいて前記キャリアのサブセットを分類することに関連する命令群を保持する請求項９に記載の無線通信装置。
【請求項１３】
前記メモリはさらに、前記キャリアのサブセットが、アクセス端末において受信された周波数帯域または送信スキームに少なくとも部分的に基づいて前記キャリア・セットを生成することに関連する命令群を保持する請求項９に記載の無線通信装置。
【請求項１４】
前記メモリはさらに、前記キャリアのサブセット内に含まれた少なくとも１つのキャリアがアクセス端末において受信されると、前記キャリアのサブセットのチャネル品質を判定することに関連する命令群を保持する請求項９に記載の無線通信装置。
【請求項１５】
マルチチャネル無線通信環境においてマルチチャネル・フィードバックを有効または容易にする無線通信装置であって、
キャリア・セットを規定する手段と、
前記キャリア・セットへキャリアをグループ化する手段と、
前記キャリアのチャネル品質を測定する手段と、
前記キャリアのチャネル品質に少なくとも部分的に基づく、前記キャリア・セットのチャネル品質インジケータ（ＣＱＩ）を送信する手段と
を備える無線通信装置。
【請求項１６】
前記グループ化する手段は、前記キャリアが送信された周波数帯域または送信モードに少なくとも部分的に基づいて前記キャリアを区別する請求項１５に記載の無線通信装置。
【請求項１７】
前記グループ化する手段は、前記キャリアが送信された周波数帯域または送信モードに少なくとも部分的に基づいて、前記キャリア・セットへ前記キャリアを割り当てる請求項１５に記載の無線通信装置。
【請求項１８】
前記規定する手段は、前記キャリアが受信された周波数帯域または送信モードに少なくとも部分的に基づいて前記キャリア・セットを生成する請求項１５に記載の無線通信装置。
【請求項１９】
前記測定する手段は、前記キャリア・セットに関連付けられたキャリアのサブセットを、前記キャリア・セット内のすべてのキャリアの代表として識別する請求項１５に記載の無線通信装置。
【請求項２０】
前記送信する手段は、前記キャリアのサブセットに含まれる単一のキャリアに基づいて前記ＣＱＩをディスパッチする請求項１９に記載の無線通信装置。
【請求項２１】
前記ＣＱＩは、前記キャリア・セットに含まれるすべてのキャリアを代表する請求項２０に記載の無線通信装置。
【請求項２２】
コンピュータ読取可能媒体を備えたコンピュータ・プログラム製品であって、
前記コンピュータ読取可能媒体は、
キャリア・セットを規定するためのコードと、
前記キャリア・セットへキャリアをグループ化するためのコードと、
前記キャリアのチャネル品質を測定するためのコードと、
前記キャリアのチャネル品質に基づく、前記キャリア・セットのチャネル品質インジケータ（ＣＱＩ）を送信するためのコードと
を備えるコンピュータ・プログラム製品。
【請求項２３】
前記コンピュータ読取可能媒体はさらに、第１の送信モードを用いて受信されたキャリアと、第２の送信モードを用いて受信されたキャリアとを区別するためのコードを備える請求項２２に記載のコンピュータ・プログラム製品。
【請求項２４】
前記コンピュータ読取可能媒体はさらに、第１の周波数帯域で送信されたキャリアと、第２の周波数帯域で送信されたキャリアとを区別するためのコードを備える請求項２２に記載のコンピュータ・プログラム製品。
【請求項２５】
前記コンピュータ読取可能媒体はさらに、第１の送信モードまたは第２の送信モードを利用して送信されているキャリアに少なくとも部分的に基づいて前記キャリア・セットを生成するためのコードを備える請求項２２に記載のコンピュータ・プログラム製品。
【請求項２６】
前記コンピュータ読取可能媒体はさらに、第１の周波数帯域または第２の周波数帯域で受信されたキャリアに少なくとも部分的に基づいて前記キャリア・セットを生成するためのコードを備える請求項２２に記載のコンピュータ・プログラム製品。
【請求項２７】
前記コンピュータ読取可能媒体はさらに、前記キャリア・セットに含まれるキャリアのサブセットから前記ＣＱＩを判定するためのコードを備え、
前記キャリアのサブセットは、前記キャリア・セット内のすべてのキャリアを代表する請求項２２に記載のコンピュータ・プログラム製品。
【請求項２８】
無線通信装置であって、
キャリア・セットを規定し、
前記キャリア・セットへキャリアを割り当て、
前記キャリアのチャネル品質を測定するために、前記キャリア・セットに含まれたすべてのキャリアの代表として、前記キャリアを適用し、
前記キャリアのチャネル品質に少なくとも部分的に基づいて、チャネル品質インジケータ（ＣＱＩ）を配信する
ように構成されたプロセッサを備える無線通信装置。
【請求項２９】
前記プロセッサはさらに、前記キャリアの送信が、複数入力複数出力（ＭＩＭＯ）送信スキームか、単一入力複数出力（ＳＩＭＯ）送信スキームか、複数ユーザ複数入力複数出力（ＭＵ−ＭＩＭＯ）送信スキームか、あるいは、コオペラティブ(cooperative)・マルチポイント送信スキームを用いて有効とされたか判定するように構成された請求項２８に記載の無線通信装置。
【請求項３０】
前記プロセッサはさらに、前記キャリアがサービス提供基地局によってブロードキャストされた周波数帯域を識別するように構成された請求項２８に記載の無線通信装置。
【請求項３１】
前記プロセッサはさらに、前記キャリアがサービス提供基地局からディスパッチされた周波数帯域または送信スキームに少なくとも部分的に基づいて前記キャリアを分類するように構成された請求項２８に記載の無線通信装置。
【請求項３２】
前記プロセッサはさらに、前記キャリアがアクセス端末において受信された周波数帯域または送信スキームに少なくとも部分的に基づいて前記キャリア・セットを生成するように構成された請求項２８に記載の無線通信装置。
【請求項３３】
前記プロセッサはさらに、アクセス端末において、前記キャリアの受信時に、前記キャリアのチャネル品質を確認するように構成された請求項２８に記載の無線通信装置。
【請求項３４】
前記プロセッサはさらに、ランク情報、事前符号化情報、チャネル・ディレクション情報（ＣＤＩ）、または、前記キャリアによって経験された干渉条件またはチャネル条件に関する明示的または暗黙的なフィードバックを含むマルチチャネル・フィードバックをディスパッチするように構成された請求項２８に記載の無線通信装置。
【請求項３５】
前記プロセッサはさらに、前記無線通信装置における前記キャリアの受信前に、ネットワーク・パラメータ、異なるキャリアのチャネル特性、または、前記キャリアによって経験された干渉量に少なくとも部分的に基づいて前記キャリア・セットのメンバシップを確認するように構成された請求項２８に記載の無線通信装置。
【請求項３６】
前記プロセッサはさらに、前記無線通信装置における受信時に、前記キャリアによって経験されたものと類似の経路喪失特性または類似の干渉レベルに少なくとも部分的に基づいて前記キャリア・セットのメンバシップを判定するように構成された請求項２８に記載の無線通信装置。
【請求項３７】
前記プロセッサはさらに、前記キャリア・セットから除外されたキャリアよりも正確かつ大規模なフィードバックを前記キャリアが必要とすることを示す、サービス提供基地局からのインジケーションに少なくとも部分的に基づいて、前記キャリアが、前記キャリア・セットに属するものとして識別するように構成された請求項２８に記載の無線通信装置。
【発明の詳細な説明】
【関連出願】
【０００１】
本願は、本願の譲受人に譲渡され、本明細書において参照によって明確に組み込まれた、２００８年１０月２２日に出願された“ＣＡＲＲＩＥＲ  ＳＥＴ  ＧＲＯＵＰＩＮＧ  ＦＯＲ  ＵＳＥ  ＩＮ  ＣＱＩ  ＦＥＥＤＢＡＣＫ”と題された仮出願６１／１０７，６０１に対する優先権を主張する。
【技術分野】
【０００２】
以下の記載は、一般に無線通信に関し、さらに詳しくは、マルチチャネル・フィードバックにおいて使用するためのキャリア・セット・グルーピングを提供する方法およびシステムに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）システム、時分割多重化（ＴＤＭ）システム、符号分割多重化（ＣＤＭ）システム、直交周波数分割多重化（ＯＦＤＭ）システム、３ＧＰＰロング・ターム・イボリューション（ＬＴＥ）システム等のようなさまざまな多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、またはすべてのデータ・ストリームを受信するために適用されうる。同様に、モバイル・デバイスは、基地局あるいは他のモバイル・デバイスへデータを送信することができる。
【０００８】
現在の無線通信システムでは、モバイル・デバイスまたはユーザ機器（ＵＥ）が、例えば基地局のような送信デバイスからのダウンリンク通信の品質を決定できるようにするチャネル品質インジケータ（ＣＱＩ）が規定されうる。モバイル・デバイスは、一般に、１または複数のチャネルによって通信を受信する。これらチャネルは、一般に、帯域幅分配スキームの一部であり、ここでは、システム内で使用される各キャリア周波数のために、さまざまな通信チャネルが規定される。一般に、モバイル・デバイスまたはユーザ機器は、ダウンリンク・チャネルの品質を測定し、この品質を基地局にレポートする。これによって、基地局は、モバイル・デバイスとの通信中、さまざまなパラメータを変更または調節すべきか否かを判定できるようになる。
【０００９】
しかしながら、モバイル通信システムは現在、モバイル・デバイスが、複数のキャリア周波数を用いて通信を受信する場合が考慮されている。しかしながら、現在まで、ダウンリンク・チャネル品質測定値がどのようにして取得され、および／または、基地局へレポートされるべきかを規定するメカニズムはない。
【発明の概要】
【００１０】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１１】
権利主張される主題は、マルチチャネル・フィードバックを提供することに関し、さらに詳しくは、基準に基づいて、例えばモバイル・デバイスまたはユーザ機器（ＵＥ）送信（例えば、単一入力複数出力（ＳＩＭＯ）、複数入力複数出力（ＭＩＭＯ））のようなセットにグループ化される複数のダウンリンク（ＤＬ）キャリア間におけるチャネル品質インジケータ（ＣＱＩ）フィードバックに関する。ここでは、各セット内の具体的なＣＱＩ設定が提供される。「新たな」セットの概念は、複数のセットが規定されうるという違いはあるものの、ユニバーサル地上ラジオ・アクセス（ＵＴＲＡ）のための３ＧＰＰ仕様のリリース８におけるセットＳと類似の意味を持つものとして理解されうる。さらに、各セットは一般に、システム帯域幅全体に広がることはなく、一般には、セットに関連付けられたキャリアの帯域幅にしか及ばない。特別な場合は、例えば、各セットが、１つのキャリアを含んでいる（例えば、セットの数は、キャリアの数に等しい）か、あるいは、設定されたすべてのキャリアを含む１セットが存在することでありうる。サブ帯域サイズ、帯域幅部分、および帯域幅を規定するテーブルは一般に、１１０のリソース・ブロック（ＲＢ）よりも大きな帯域幅をカバーするように拡張されうる。さらに、必要であれば、サブ帯域サイズは、より大きな帯域幅のために拡大されうる。限定することなく、また、一般性を失うことなく、キャリア・セットが１つのキャリアを備えている場合、マルチキャリア・システムにおいて（適切なサブ帯域スケジューリングを可能にするために）、サブ帯域ＣＱＩフィードバックのグラニュラリティが確保されうることが注目されるべきである。セットの数、および、各セットにどのキャリアが属するべきかは、システム内のより高いレイヤによって、各モバイル・デバイスまたはユーザ機器に対して半静的に設定されうる。この時点において、さまざまな実施形態にしたがう応用が、ＣＱＩフィードバックに関連しているので、マルチチャネル・フィードバックのコンテキストにおいて解明される一方、当業者によれば、限定することも、一般性を失うこともなく、マルチチャネル・フィードバックは、例えばランク情報、事前符号化情報、チャネル・ディレクション情報（ＣＤＩ）のようなその他のタイプのフィードバックや、複数のＤＬキャリアの受信時に残っている現在のチャネル条件および／または干渉条件についてモバイル・デバイスまたはＵＥによって計算および提供されたその他の明示的および／または暗黙的なフィードバックに関連するフィードバックをも含むものと理解されることがさらに注目されるべきである。
【００１２】
１または複数の態様および対応する開示によれば、さまざまな態様が、マルチチャネル無線通信環境においてマルチチャネル・フィードバックを有効にすることに関連して記載される。一態様によれば、キャリア・セットを規定することを含む、マルチチャネル・フィードバックを有効にすることと、キャリアをキャリア・セットにグループ化することと、キャリアのチャネル品質を測定することと、キャリアのチャネル品質に部分的に基づきうる、キャリア・セットのＣＱＩを送信することとのための方法が提供される。
【００１３】
さらなる態様では、無線通信装置が開示される。この無線通信装置は、キャリア・セットを生成することと、このキャリア・セットに属するものとしてキャリアを分類することと、キャリアのチャネル品質を測定するために、キャリア・セットに含まれるすべてのキャリアの代表として、キャリア・セットに含まれるキャリアのサブセットを利用することと、キャリアのサブセットのチャネル品質に基づいて、ＣＱＩを伝搬することとに関連する命令群を保持するメモリを含みうる。
【００１４】
別の態様では、マルチチャネル無線通信環境においてマルチチャネル・フィードバックを有効または容易にする装置が開示される。この装置は、キャリア・セットを規定する手段と、キャリアをキャリア・セットにグループ化する手段と、キャリアのチャネル品質を測定する手段と、キャリアのチャネル品質に基づく、キャリア・セットのＣＱＩを送信する手段とを含みうる。
【００１５】
さらなる態様によれば、コンピュータ読取可能媒体を備えたコンピュータ・プログラム製品が開示される。コンピュータ読取可能媒体は、キャリア・セットを規定するためのコードと、キャリアをキャリア・セットにグループ化するためのコードと、キャリアのチャネル品質を測定するためのコードと、キャリアのチャネル品質に基づきうる、キャリア・セットのＣＱＩを送信するためのコードとを含みうる。
【００１６】
それに加えて、さらなる態様にしたがう無線通信装置が開示される。この無線通信装置は、キャリア・セットを規定し、キャリアをキャリア・セットに割り当て、キャリアのチャネル品質を測定するために、キャリア・セットに含まれたすべてのキャリアの代表として、キャリアを適用し、キャリアのチャネル品質に少なくとも部分的に基づいて、ＣＱＩを配信するように構成されたプロセッサを含みうる。
【００１７】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１８】
【図１】図１は、本明細書に記載されたさまざまな態様にしたがう無線通信システムの例示である。
【図２】図２は、開示されたさまざまな実施形態および態様が実現され、多くのユーザをサポートするように構成されたさらなる無線通信システムの例示を提供する。
【図３】図３は、権利主張される主題のさまざまな態様にしたがって、アクセス端末とサービス提供基地局との間のマルチチャネル・フィードバックを有効および／または容易にするシステムの例の図示である。
【図４】図４は、主題とする開示のさまざまな態様にしたがって、アクセス端末とサービス提供基地局との間のマルチチャネル・フィードバックを有効および／または容易にするシステムの例の図示である。
【図５】図５は、権利主張される主題の１または複数の態様にしたがって、アクセス端末からサービス提供基地局へチャネル品質インジケータ（ＣＱＩ）フィードバックを伝送するために適用されうる通信フォーマットの一例を図示する。
【図６】図６は、権利主張される主題のさまざまな態様にしたがって、アクセス端末からサービス提供基地局へＣＱＩフィードバックを通信するために適用されうる通信フォーマットの更なる例を図示する。
【図７】図７は、権利主張される主題のさまざまな態様にしたがって、アクセス端末からサービス提供基地局へのＣＱＩフィードバックの交換のために適用されうる通信フォーマットの別の例を図示する。
【図８】図８は、主題とする開示のさまざまな態様にしたがって、マルチキャリアＣＱＩフィードバックのために設計されたさらなる例示的なＣＱＩフィードバック・フォーマットを図示する。
【図９】図９は、主題とする開示のさまざまな態様にしたがってアクセス端末からさービス提供基地局へＣＱＩフィードバックを伝送するために、権利主張される主題によって有用に利用されうる通信フォーマットのさらなる例を図示する。
【図１０】図１０は、権利主張される主題と連携して、および、主題とする開示のさまざまな態様にしたがって適用されうる例示的なグルーピング・スキームの例示を提供する。
【図１１】図１１は、主題とする開示のさまざまな態様にしたがってアクセス端末とサービス提供基地局との間のマルチチャネル・フィードバックを有効および／または容易にする方法の例を図示する。
【図１２】図１２は、無線通信システムにおいて、フラッシュ信号のコンテキストにおいて、干渉を多重化および／または管理するために、電力およびフェーズのコヒーレンスを使用することを有効および／または容易にするアクセス端末の例を図示する。
【図１３】図１３は、本明細書に記載されたさまざまなシステムおよび方法と共に適用されうる無線ネットワーク環境の例示である。
【図１４】図１４は、無線通信環境において、フラッシュ信号のコンテキストにおいて、干渉を多重化および／または管理するために、電力およびフェーズのコヒーレンスを使用することを可能にするシステムの例を図示する。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
ＳＣ−ＦＤＭＡは、単一キャリア変調および周波数領域等値化を利用する。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、本明細書ではさまざまな実施形態が、アクセス端末に関連して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末と通信するために利用することができ、アクセス・ポイント、ノードＢ、イボルブド・ノードＢ（ｅＮｏｄｅＢ）、あるいはその他のいくつかの用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、アクセス端末１１６およびアクセス端末１２２のような１または複数のアクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２８】
図２は、多くのユーザをサポートするように構成され、開示されたさまざまな実施形態および態様が実施されるさらなる無線通信システム２００の例示を提供する。図２に示すように、例によれば、システム２００は、例えばマクロ・セル２０２ａ−２０２ｇのような複数のセル２０２のための通信を提供する。ここで、各セルは、（例えば、ＡＰ２０４ａ−２０４ｇのような）対応するアクセス・ポイント（ＡＰ）２０４によってサービス提供されている。セルはおのおのの、１または複数のセクタにさらに分割されうる。ユーザ機器（ＵＥ）または移動局としても知られており、ＡＴ２０６ａ−２０６ｋを含むさまざまなアクセス端末（ＡＴ）２０６が、システムの全体にわたって分散している。ＡＴ２０６はおのおのの、例えば、ＡＴがアクティブであるか、および、ソフト・ハンドオフにあるかに依存して、所与の瞬間において、順方向リンク（ＦＬ）および／または逆方向リンク（ＲＬ）によって、１または複数のＡＰ２０４と通信することができる。無線通信システム２００は、大きな地理的領域にわたってサービスを提供することができ、例えば、マクロ・セル２０２ａ−２０２ｇは、近隣の数ブロックをカバーすることができる。
【００２９】
権利主張される主題のより詳細な説明の前置きとして限定することも、一般性を失うこともなく、権利主張される主題は、多くのアクセス端末、モバイル・デバイス、またはユーザ機器（ＵＥ）から、例えば、アクセス・ポイント、ノードＢ、またはイボルブド・ノードＢ（ｅノードＢ）のようなサービス提供ノードへのマルチチャネル・フィードバック（例えば、チャネル品質インジケータ（ＣＱＩ）、ランク・インジケータ（ＲＩ）、事前符号化行列インジケータ（ＰＭＩ））を有効および／または容易にすることが認識されるべきである。今日において通常であるように、下位互換性の概念を維持するアクセス・ポイント、ノードＢ、またはイボルブド・ノードＢの多くは、レガシー・単一キャリア・モバイル・デバイスまたはユーザ機器とのレガシー単一キャリア通信を容易および／および有効にしうる。それゆえ、単一のダウンリンク（ＤＬ）キャリアを受信し、それに対して、単一のアップリンク（ＵＬ）キャリアを応答として送信することができる。それに加えて、現在のアクセス・ポイント、ノードＢ、またはイボルブド・ノードＢは、すべてではないが、そのほとんどが、マルチキャリア・モバイル・デバイス、アクセス端末、またはＵＥのためのサポートを提供する。ここで、複数のＤＬキャリアは、複数のＵＬキャリアとペアをなし、これによって、マルチキャリア・モバイル・デバイス、アクセス端末、またはＵＥは、有利なことに、ペアをなす対応するＵＬキャリアにおいてチャネル・フィードバックを送信するために、これらの関係を適用できるようになる。
【００３０】
さらに、サービス提供ノードまたは基地局へのマルチキャリア動作のために設計されたアクセス端末、モバイル・デバイス、またはＵＥからのマルチチャネル・フィードバックの通信は、定期的な他対一通信を利用して開始および／または容易とされる。ここでは、複数のＤＬキャリアにおける一般的なブロードキャスト・システム情報（ＳＩ）またはユーザ機器特有（例えば、専用シグナリング）ラジオ・リソース制御（ＲＲＣ）シグナリングが、ＣＱＩフィードバックのためのＵＬキャリアを指定しうる。したがって、選択されたＵＬアンカ・キャリア（例えば、サービス提供基地局またはサービス提供ノードによって受信された多くのＵＬアンカ・キャリアのうちの１つ）が、チャネル・フィードバックの目的で、ＤＬキャリアとペアとされる必要のないキャリアとして指定されうる。
【００３１】
アクセス端末からサービス提供ノードまたはサービス提供基地局への複数のＤＬキャリアのためのマルチキャリア・フィードバックを通信するためのさまざまな指定／マッピングを区別するために、ＣＱＩフィードバックが、ＤＬキャリアとペアをなすＵＬキャリアで伝送されているか、あるいは、ペアリングに関わらず、アンカＵＬキャリアで伝送されているかを示すフラグが利用されうる。それに加えて、および／または、その代わりに、マルチキャリア・フィードバックに関する指定／マッピングが、ペアとされたアップリンクＵＬ／ＤＬキャリアによって通信されるべきであるか、あるいは、アンカＵＬキャリアを用いて交換されるべきであるかに関する指定／マッピングが、ＳＩによって、または、ＲＲＣシグナリングによって送信される。これに関して、複数のＤＬキャリアのためのＣＱＩフィードバックのための指定またはマッピングが、レガシー・アクセス端末またはユーザ機器に対して透過的になされうるが、それでも、マルチキャリア・ユーザ機器またはアクセス端末は、このフラグを、適切な割当のためのインジケーションとして使用しうることが注目されるべきである。したがって、一般的な場合では、ＲＲＣシグナリングによってアクセス端末またはユーザ機器へディスパッチされた１または複数のスケジューリング・パラダイムにしたがって、指定されたＵＬキャリアを用いて、ＣＱＩフィードバックが配信されうる。理解されるであろうが、異なるアクセス端末またはユーザ機器は、それぞれのＣＱＩフィードバックのために指定された異なるＵＬキャリアを有しうる。さらに、複数のＤＬキャリアＣＱＩフィードバックが、指定された１つのＵＬキャリアでディスパッチされる場合、指定されたＵＬキャリアは、一般にペアとされるＤＬキャリアのためのＣＱＩフィードバックを伝送するのみならず、その他のＤＬキャリアのためのＣＱＩフィードバックをも伝送する。注目されるように、この概念の下では、一般に、ＣＱＩフィードバックを伝送する目的のために、ＵＬ／ＤＬキャリア間での一対一のペアリングはないので、ＣＱＩフィードバックを伝送する責任を負わないＵＬキャリアが存在しうる。したがって、必要であれば、レガシー・アクセス端末またはユーザ機器のためのＣＱＩフィードバックが有効とされるのは、これら負荷の低いＵＬキャリアにおいてである。
【００３２】
上記解明された多対一の原型のさらなる例示を提供するために、ＣＱＩフィードバックをサービス提供ノードまたは基地局へ伝送するために、以下の実施例が適用されうる。権利主張される主題の一態様によれば、各ＤＬキャリアは、独立してマップされうる。ここで、ＣＱＩフィードバックは、各キャリアについて独立して設定されうる。さらに、異なるＤＬキャリアのためのＣＱＩチャネルがオーバラップしないように物理アップリンク制御チャネル（ＰＵＣＣＨ）マッピングが計画され、ＣＱＩフィードバックのマッピングが、ＲＲＣシグナリングによってアクセス端末またはユーザ機器へ伝送されうる。さらに、同様にして、レガシー・アクセス端末またはユーザ機器はまた、各キャリアのためのＣＱＩフィードバックをどのリソース・ブロック、時間オフセット、および定期性がマップするかに関する情報の取得をも行う。したがって、例えば、ＤＬキャリア毎に別個のＣＱＩフィードバックが、周波数において連結された方式で、時間モードにおけるサイクルで、あるいは、時間および／または周波数が交互する方式でレポートされうる。
【００３３】
権利主張される主題のさらなる態様によれば、そして、特に、ＤＬキャリア毎に独立したＣＱＩフィードバックではなく、マルチキャリア・チャネル・フィードバックに関連しているので、マルチチャネル・フィードバックが１つの広帯域幅としてともにレポートされうる。ここで、テーブルは、システム帯域幅に応じて拡張されうるサブ帯域サイズおよび／または帯域幅部分を規定する。それに加えて、および／または、その代わりに、このような情報は、ＣＱＩマルチチャネル・フィードバックを独立して伝送するのでも、あるいは、ともに伝送するのでもなく、マルチキャリアＣＱＩフィードバックを通信するように指定されたＣＱＩフォーマットを規定する単一のレポートとして提供されうるか、あるいは、サイクルされたキャリア／サブ帯域レポートとして伝送されうる。ここで、フィードバックの一部は、スケジュールされた各インスタンスのためにレポートされる。
【００３４】
さらなる態様によれば、権利主張される主題は、マルチキャリア・アクセス端末またはユーザ機器へと、例えばＰＵＣＣＨにおけるＣＱＩフィードバックのように、ＵＬキャリアでレポートされた複数のＤＬキャリアに提供されたネットワーク要求またはスケジューリング（例えば、非定期的なフィードバック許可）にしたがって非定期的なフィードバックを実行する機能を提供しうる。それに加えて、および／または、その代わりに、ＣＱＩフィードバックはさらに、ＲＲＣシグナリングによって提供されたサイズおよび／またはメッセージ・フォーマットに応答する、物理アップリンク共有チャネル（ＰＵＳＣＨ）のためのデータ送信許可を用いて有効とされうる。
【００３５】
前述した記載を考慮して、当業者によって理解されるであろうが、最も一般的な意味では、権利主張される主題は、さまざまなネットワーク・パラメータ、異なるキャリアのチャネル特性、および／または、受信された各ＤＬキャリアに存在するかまたは検知された干渉量に関する考慮に少なくとも部分的に基づいて、マルチチャネル・フィードバックをグループ化しうる。例えば、キャリアは、類似の経路喪失特性に基づいて、あるいは、ＤＬフェーズ中に経験された類似の干渉レベルに基づいてグループ化されうる。さらに、マルチチャネル・フィードバックの目的のためのグルーピングの際には、例えば、マルチ・ユーザ複数入力複数出力（ＭＵ−ＭＵＭＯ）または（例えば、複数のアクセス・ポイント、ノードＢ，またはｅノードＢが、送信中、ＵＥのセットに対して作用する）コオペラティブ(cooperative)・マルチポイント送信もまた考慮されうる。さらに、マルチチャネル・フィードバックのグルーピングは、アクセス端末またはＵＥにおいて受信されるあるＤＬキャリアに関連してサービス提供基地局へ返信される必要のある情報の範囲および／または精度に関連して、サービス提供基地局によって示される要件にも基づきうる。例えば、サービス提供基地局は、アクセス端末またはＵＥへ、選択されたキャリアのチャネル情報が、より高い精度レベルで提供される必要のあることを示しうる。
【００３６】
権利主張される主題のさまざまな態様にしたがって、サービス提供基地局３０２とアクセス端末３０４との間のマルチチャネル・フィードバック（例えば、ＣＱＩ、ＲＩ、ＰＭＩ）を有効および／または容易にするシステム３００が例示されている図３に移る。図示するように、基地局３０２は、ＣＱＩフィードバックを受信することを目的として、特に、マルチキャリアＣＱＩフィードバックを獲得または受信することを目的として、アクセス端末３０４と、連続的および／または動作的に、あるいは、散発的および／または断続的に通信しうる。基地局３０２およびアクセス端末３０４それぞれの基本的な機能は、図１および図２に関連して上述したので、これら機能のさらなる詳細な記載は、不要な反復を避けるため、および、簡潔さおよび簡略化のために省略される。しかしながら、図示するように、アクセス端末３０４はこの例では、基地局３０２とのマルチキャリア通信が可能なデバイスであり、マルチチャネル・フィードバック構成要素３０６を含みうる。マルチチャネル・フィードバック構成要素３０６は、別個の異なるキャリア・セットを規定し、確認されたキャリア・セットに少なくとも部分的に基づいて、１または複数のキャリアを、別個の異なるキャリア・セットへグループ化し、決定されたグループまたはセットに含まれるキャリアにわたってＣＱＩフィードバックを適切に与え、その後、キャリア・セットに関するＣＱＩを、基地局３０２へディスパッチまたは送信しうる。
【００３７】
前述したことを開始および／または有効にするために、マルチチャネル・フィードバック構成要素３０６は、例えば、アクセス端末３０４が、複数入力複数出力（ＭＩＭＯ）送信または単一入力複数出力（ＳＩＭＯ）送信を用いて基地局３０２との交換を有効にするか否かのようなさまざまな基準に少なくとも部分的に基づいて、キャリアを規定し、異なるキャリア・セットまたはグループに集めるグルーピング構成要素３０８を含みうる。この例では、グルーピング構成要素３０８は、基地局３０２とアクセス端末３０４との間の相互通信がＭＩＭＯ送信またはＳＩＭＯ送信を用いて実行されているかを、基地局から取得または受信されたＤＬ送信に少なくとも部分的に基づいて検出しうる。当業者によって理解されるであろうが、ＭＩＭＯ送信およびＳＩＭＯ送信を用いたＣＱＩフィードバックの設定は、異なり、別個でありうるので、異なる設定要件および／または制約が課せられうる。
【００３８】
さらに、グルーピング構成要素３０８は、特定の周波数帯域またはサブ帯域を用いて、通信が有効とされているか否かに少なくとも部分的に基づいて、キャリアを規定し、別のキャリア・セットまたはグループへ集める。例えば、グルーピング構成要素３０８は、周波数帯域ＡにおけるキャリアのためのＣＱＩフィードバックが、第１の方式で設定される必要がある一方、周波数帯域ＢにおけるキャリアのためのＣＱＩフィードバックが、別の方式で構成されねばならないと推定しうる。したがって、グルーピング構成要素３０８は、（例えば、周波数帯域Ａのような）第１の周波数帯域におけるキャリアのＣＱＩフィードバックのためのグルーピングの規定および／または生成を行いうる。これによって、この第１のグルーピングに送られたキャリアのＣＱＩフィードバックは、共通または類似のＣＱＩフィードバック設定を利用できるようになる。グルーピング構成要素３０８はまた、（例えば、周波数帯域Ｂのような）第２の周波数帯域におけるキャリアのＣＱＩフィードバックのためのグルーピングの規定および／または生成をも行いうる。ここで、別のグルーピングにおけるキャリアのＣＱＩフィードバックは、第２のグルーピングにユニークであるか、および／または、第１のグルーピングのＣＱＩフィードバック設定とは別の、共通または類似のＣＱＩフィードバック設定を利用しうる。
【００３９】
それに加えて、および／または、その代わりに、グルーピング構成要素３０８は、キャリアのグループ内のキャリアを、規定されたグループ全体のためにＣＱＩフィードバックを提供することを目的として全周波数帯域を備えているものとして考慮しうる。例えば、規定されたグループ内では、グルーピング構成要素３０８は、５ＭＨｚの帯域幅を用いる２つのキャリアが存在することを確認しうる。この状況の下では、２つの５ＭＨｚキャリアがグループ化され、および／または、単一のグループへ集められ、これによって、その後のＣＱＩ設定が、（例えば、グループに含まれるキャリアの合計である）１０ＭＨｚの帯域幅に一致するようになる。
【００４０】
権利主張された主題を利用することによる利点、さらに詳しくは、キャリアをグループへグループ化または分類することによる利点は、キャリアが（例えば、ＭＩＭＯやＳＩＭＯのような）異なる送信モードを適用している場合、これにしたがって、これらキャリアが分類またはグループ化されねばならないことである。したがって、ＳＩＭＯ送信を適用しているキャリアは、一般に、類似のＳＩＭＯ送信パラダイムを用いている別のキャリアを用いてグループ化されねばならない。同様に、ＭＩＭＯ送信パラダイムを適用しているキャリアは、一般に、ともにグループ化されねばならない。それぞれの送信モードおよび／または周波数帯域または周波数サブ帯域に少なくとも部分的に基づいてキャリアを区別および／またはグループ化するための原理は、ＭＩＭＯとＳＩＭＯとが別の送信モードであるので、これら送信モードのおのおののＣＱＩフィードバック設定は、異なる基準を必要とし、（例えば、ＭＩＭＯのような）１つの送信モードのために設定されたＣＱＩフィードバックは、必ずしも（例えば、ＳＩＭＯのような）別の送信モードのために設定されたＣＱＩフィードバックと互換性を持つ必要はないという事実に起因しうる。
【００４１】
マルチチャネル・フィードバック構成要素３０６はさらに、セット全体に含まれる別のキャリアのために、または、キャリア・セット内に含まれる個々のキャリアのために、個別に、および／または、グルーピング構成要素３０８と連携して動作しうる測定構成要素３１０を含みうる。基地局３０２は、チャネルに依存するスケジューリングおよび／またはレート制御の目的のために、アクセス端末３０４において受信されたような瞬時的なＤＬチャネル条件に関する情報を必要とするので、アクセス端末３０４は、測定構成要素３１０によって提供された機能および／または能力によって、瞬時的なＤＬチャネル条件を評価または推定しうる。アクセス端末またはＵＥにおける瞬時的なＤＬチャネル条件は、一般に、ユーザ機器またはアクセス端末（例えば、アクセス端末３０４）において受信されたような共通パイロットの信号対雑音比（ＳＮＲ）、信号対干渉および雑音比（ＳＩＮＲ）、あるいは信号対雑音および歪み比（ＳＮＤＲ）に基づきうる。したがって、測定構成要素３１０は、グルーピング構成要素３０８によって提供された能力および機能と連携して、基地局へ送るためのＣＱＩを提供しうる。
【００４２】
グルーピング構成要素３０８および測定構成要素３１０を含むマルチチャネル・フィードバック構成要素３０６の図示４００をさらに提供する図４に移る。これらの機能および／または能力は、図３に関連して既に説明されたほとんどの部分を有している。したがって、簡潔のため、および、不要な冗長を避けるために、これら機能のさらなる説明は省略される。しかしながら、例示するように、マルチチャネル・フィードバック構成要素３０６はさらに、規定モジュール４０２と、ルール・モジュール４０４とを含みうる。これらは、ＣＱＩフィードバックの目的で、キャリアの適切なキャリア・セットへのグループ化または分類を有効および／または容易にするために、個別に、および／または、連携して利用されうる。規定モジュール４０２は、（例えば、基地局３０２のような）サービス提供基地局から受信したＤＬ送信に少なくとも部分的に基づいて、キャリアがＭＩＭＯ送信モードを用いて送信されているか、ＳＩＭＯ送信モードを用いて送信されているかを確認しうる。例えば、規定モジュール４０２は、基地局３０２から受信したダウンリンク送信に少なくとも部分的に基づいて、（例えば、基地局３０２のような）サービス提供基地局と（例えば、アクセス端末３０４のような）アクセス端末またはユーザ機器との間の動的な交換に含まれるキャリアが、ＭＩＭＯ送信モードを用いて有効とされているか、ＳＩＭＯ送信モードを用いて有効とされているかを確認しうる。規定構成要素４０２が、受信したＤＬ送信から、ＭＩＭＯ送信パラダイムが利用されていることを確認した場合、規定構成要素４０２は、送信モードとしてＭＩＭＯを適用しているキャリアを含むキャリア・セットを生成または規定し、さらに、送信モードとして同様にＭＩＭＯを利用しているその他のキャリアを検出すると、キャリア・セットへ追加しうる。同様に、規定モジュール４０２はまた、送信技術としてＳＩＭＯを適用する検出されたキャリアを含むＳＩＭＯに対して向けられたキャリア・セットの生成、規定、および／または、提供をも行いうる。
【００４３】
それに加えて、および／または、その代わりに、規定モジュール４０２はまた、ＣＱＩフィードバックの目的で、周波数帯域または周波数サブ帯域に少なくとも部分的に基づいて、キャリアの適切なキャリア・セットへの分類および／またはグループ化をも行いうる。規定モジュール４０２は、再び、（例えば、基地局３０２のような）サービス提供基地局から受信したＤＬ送信に少なくとも部分的に基づいて、特定のキャリアがどの周波数帯域（または、周波数帯域が複数のキャリアを含んでいる場合には、周波数サブ帯域）を使用しているかを判定しうる。例えば、規定モジュール４０２は、周波数帯域Ａである第１の周波数帯域が、（例えば、キャリア１、キャリア２、およびキャリア３のような）３つのキャリアに関連付けられており、これにより、この第１の周波数帯域に位置するキャリアのためのＣＱＩフィードバックが、第１の方式で設定されねばならないことを確認しうる。さらに、規定モジュール４０２はまた、（例えば基地局３０２のような）サービス提供基地局からディスパッチされたＤＬ送信から、周波数Ｂである第２の周波数帯域が、（例えば、キャリア４およびキャリア５のような）２つのキャリア内に含まれていることを識別しうる。規定モジュール４０２は、第１の周波数帯域が、（例えば、キャリア１、キャリア２、およびキャリア３のような）３つのキャリアを含んでいることと、第２の周波数帯域が（例えば、キャリア４およびキャリア５のような）２つのキャリアに関連付けられていることとを識別すると、（例えば、基地局３０２のような）サービス提供基地局へのＣＱＩフィードバックの目的のために、それぞれのキャリアを、キャリア・セット（またはキャリア・サブセット）へ分解および／またはグループ化しうる。したがって、規定モジュール４０２は、第１の周波数帯域に関連付けられた（例えば、キャリア１、キャリア２、およびキャリア３のような）キャリアを用いて、第１のキャリア・セット（または、第１のキャリア・サブセット）を生成および／または追加し、同様に、規定モジュール４０２は、第２のキャリア・セット（または、第２のキャリア・サブセット）を確立し、および／または、（例えば、キャリア４およびキャリア５のような）第２の周波数帯域に関連付けられたキャリアを含みうる。
【００４４】
さらに、規定モジュール４０２は、第１のキャリア・セット（または、第１のキャリア・サブセット）内のキャリアおよび、第２のキャリア・セット（または、第２のキャリア・サブセット）内のキャリアを、他の適切なパラメータおよび送信特性に少なくとも部分的に基づいて、さらなるサブセットへ分類またはグループ化しうる。例えば、規定モジュール４０２は、周波数帯域Ａである第１の周波数帯域におけるキャリア１およびキャリア２を、ＭＩＭＯキャリアとして識別し、これにより、これらキャリアを、第１の周波数帯域に残っているＭＩＭＯキャリアのために指定されたグループまたはセットへとグループ化または分類しうる。また、規定モジュール４０２は、周波数帯域Ａである第１の周波数帯域におけるキャリア３を、ＳＩＭＯキャリアとして識別し、これにより、（例えば、キャリア３である）このキャリアを、周波数帯域Ａである第１の周波数帯域内で伝送されるＳＩＭＯキャリアのためのキャリア・セットに属するものとして分類しうる。したがって、上記例示の目的で、第１の周波数帯域（周波数帯域Ａ）に含まれるサブキャリアのセットは、ＭＩＭＯ送信スキームを利用しているキャリアのための第１のセットと、ＳＩＭＯ送信スキームを適用しているキャリアのための第２のセットとの２つのセットを備えうる。同様な実施は、周波数帯域Ｂである第２の周波数帯域に関連付けられた規定モジュール４０２によって実行されうる。ここでは、規定モジュール４０２が、周波数帯域Ｂである第２の周波数帯域内に位置するキャリア４およびキャリア５がＳＩＭＯキャリアであり、もって、第２の周波数帯域に残っているＳＩＭＯキャリアに関するＣＱＩフィードバックの目的で、単一のキャリア・セットへともにグループ化されうることを確証しうる。
【００４５】
限定することなく、また、一般性を失うこともなく、規定モジュール４０２は、一般に、周波数帯域を越えてセットを生成しないことが注目されるべきである。したがって、前述した例を続けるために、規定モジュール４０２は、周波数帯域Ａである第１の周波数帯域が、（例えば、キャリア１、キャリア２、およびキャリア３のような）３つのキャリアを備えていることを識別すると、多くとも３つのセット（例えば、第１の周波数帯域に含まれているか、第１の周波数帯域で検出された各キャリアについて１つ）を生成しなければならないこと、あるいは、少なくとも１つのセット（例えば、キャリア１、キャリア、およびキャリア３のように、第１の周波数帯域内で検出されたすべてのキャリアを含むセット）を生成しなければならないことを考えるが、この例では、第１の周波数帯域に関連付けられて検出されたキャリアが３つしかないので、規定モジュール４０２は、第１の周波数帯域である周波数帯域Ａに含まれるキャリアのために生成されたセットに、（例えば、周波数帯域Ｂのような）別の周波数帯域におけるさまざまなキャリアを関連付けることを控えることを十分に認識している。
【００４６】
規定モジュール４０２が、特定の周波数帯域内のキャリアを適切なキャリア・セットへと適切にグループ化すると、ルール・モジュール４０４は、（例えば、基地局３０２のような）サービス提供基地局へのＣＱＩフィードバックの適切な配信を確証するために、（例えば、同時に確認されたルール、動的に決定されたルール、および／または、予め確立されたルール）のようなルールを、それぞれのキャリア・グループまたはキャリア・セットへ適用しうる。例えば、アクセス端末３０４はマルチキャリア動作を行うことができるので、ルール・モジュール４０４は、それぞれのキャリア・セットのためのＣＱＩフィードバックは、ＤＬキャリアとペアをなすＵＬキャリアで伝送されうると推定しうる。それに加えて、および／または、その代わりに、ルール・モジュール４０４は、特定のキャリア・セットのＣＱＩフィードバックのディスパッチは、アンカＵＬキャリアで伝送することによって最も良く提供されうるであろうことを確認しうる。ここで、ノミナルでペアリングされうるＤＬキャリアのためにＣＱＩフィードバックを伝送するのみならず、キャリア・セットまたはキャリア・グループに含まれるその他の関連付けられたキャリアのためにもＣＱＩフィードバックを伝送するペアリング（例えば、ＵＬ／ＤＬペアリング）、および／または識別あるいは選択されたアンカＵＬキャリアに関連することなく、アンカＵＬキャリアが識別または選択される。
【００４７】
さらなる例として、ルール・モジュール４０４はまた、ルールを適用し、これによって、キャリアのセットまたはキャリアのグループに含まれる各キャリアのためのＣＱＩフィードバックが、独立して伝送され、もって、ＰＵＣＣＨマッピングが計画され、このキャリアのセットに含まれる別のキャリアのためのＣＱＩフィードバックがオーバラップしないことが確認される。さらに、リソース・ブロック、時間オフセット、および／または周期性に関する情報も、各キャリアのＣＱＩフィードバックをマップするためにルール・モジュール４０４によって利用されうる。例えば、リソース・ブロック、時間オフセット、および／または、周期性のような要因が利用される場合、ＤＬキャリア毎の別個のＣＱＩフィードバックが、周波数パターンで連結されてレポートされるか、時間的なサイクルでレポートされるか、および／または、時間および／または周波数による交互方式でレポートされうる。
【００４８】
それに加えて、および／または、その代わりに、特に、マルチキャリア・チャネル・フィードバックに関し、フィードバックは、ＤＬキャリア毎に独立したＣＱＩフィードバックではなく、単一の広帯域幅としてともにレポートされうる。ここでは、一般に、サブ帯域サイズおよび／または帯域幅部分を規定するテーブルが、システム帯域幅に応じて拡張されうる。さらに、ＣＱＩフィードバックを独立してあるいはともに伝送することに加えて、および／または、その代わりに、フィードバックは、マルチキャリアＣＱＩフィードバックを通信するために設計されたＣＱＩフォーマットを規定する単一のレポートとして配信されるか、あるいは、サイクルされたキャリア／サブ帯域レポートとして伝送されうる。この場合、スケジュールされた各インスタンスに対して、フィードバック部分がレポートされる。
【００４９】
ルール・モジュール４０４はまた、例えばＰＵＣＣＨにおけるＣＱＩフィードバックのように、ＵＬキャリアでレポートされた複数のＤＬキャリアで提供されたネットワーク要求またはスケジューリング（例えば、非定期的フィードバック許可）をもって非定期的フィードバック定数を有効にするルールを適用しうる。また、ルール・モジュール４０４はさらに、ＲＲＣシグナリングによって提供されたサイズおよび／またはメッセージ・フォーマットに対して影響を受けるＰＵＳＣＨに対するデータ送信許可を用いて、ＣＱＩフィードバックを有効にするルールをも適用しうる。
【００５０】
ルール・モジュール４０４のコンテキストでは、マルチチャネル・フィードバック・レポートは一般に、グルーピング設定に依存しうるので、ルール・モジュール４０４は、マルチチャネル・フィードバックを有効にするために、別の方式のルールを適用しうることが注目されるべきである。例えば、マルチチャネル・フィードバックのために４つのチャネルを含むシステムでは、２つのキャリアをそれぞれ含むセットのためのマルチチャネル・フィードバックのレポートのために適用されるルールは、４つすべてのキャリアを含むセットのためのマルチチャネル・フィードバックのレポートのために適用されるルールとは異なりうる（例えば、マルチチャネル・フィードバックをレポートすることを目的とするルールのアプリケーションは、セットに含まれるキャリア数に依存しうる）。
【００５１】
さらに、ルール・モジュール４０４と関連して、ルール・モジュール４０４は、複数のキャリア・セットからレポートされたフィードバック情報が多重化される新たなすなわち斬新なレポート・メカニズムを有効にするルールを適用しうることが注目されるべきである。例えば、複数のキャリア・セットからの複数のレポートが、同時にスケジュールされた場合、ルール・モジュール４０４は、アクセス端末とサービス提供基地局との間で相互に合意されたルールに基づいて、ディスパッチされるべきキャリア・セットの順序（例えば、キャリア・セット間で固定された順序）を選択しうる。
【００５２】
権利主張される主題の１または複数の態様にしたがって、（例えば、アクセス端末３０４のような）アクセス端末から（例えば、基地局３０２のような）サービス提供基地局へＣＱＩフィードバックを伝送するために適用されうる１つのフォーマット５００を図示する図５に移る。通信フォーマット５００は、期間「Ｐ」の間、ダウンロード・キャリア毎に別個のＣＱＩフィードバックを、周波数で連結された方式で通信するために利用されうる。この例では、通信フォーマット５００は、同じ期間「Ｐ」の間、キャリア１、キャリア２、および／または、キャリア３のためにＣＱＩフィードバックを通信する。ここで、各キャリア（例えば、キャリア１、キャリア２、および／または、キャリア３）のためのＣＱＩフィードバックは、期間「Ｐ」の間、送信のために連結される。
【００５３】
図６は、権利主張される主題の態様にしたがって、（例えば、アクセス端末３０４のような）アクセス端末から（例えば、基地局３０２のような）サービス提供基地局へＣＱＩフィードバックを通信するために適用されうるさらなるフォーマット６００の例示を提供する。この例では、通信フォーマット６００は、時間的なサイクル方式で、ＣＱＩフィードバックを提供しうる。ここでは、各キャリア（例えば、キャリア１、キャリア２、および／または、キャリア３）のＣＱＩフィードバックはおのおの、それぞれのＣＱＩフィードバックを送信するための送信時間インタバル（ＴＴＩ）が与えられる。したがって、キャリア１のＣＱＩフィードバックが、ＴＴＩによって制限された第１の期間中に送信され、キャリア２のＣＱＩフィードバックが、ＴＴＩによって制限された第２の期間中に送信され、および／または、キャリア３のＣＱＩフィードバックが、ＴＴＩによって制限された第３の期間中に再び送信されうる。その結果、大きな遅延が生じたり、ＣＱＩ情報が不正確になる恐れがあり、単一のキャリアの場合と同じオーバヘッドで実現されうる。さらに、異なるキャリアのフィードバックが、単一キャリアにおける場合と同じ周期を持つが、大きなオーバヘッドを持つ時間オフセットである場合、同じ遅延が達成されうる。当業者に明らかになるであろうが、権利主張される主題は、この点を、３つのキャリアを使用するものとして説明しているが、３つよりも多いまたは少ない数のキャリアが、権利主張される主題の範囲および／または意図から逸脱することなく利用されうるので、権利主張される主題は、それに限定されないことが注目されるべきである。
【００５４】
図７は、権利主張される主題のさらなる態様にしたがって、（例えば、アクセス端末３０４のような）アクセス端末から（例えば、基地局３０２のような）サービス提供基地局へのＣＱＩフィードバックの交換に適用されうる別の通信フォーマット７００を図示する。図７に例示するように、通信フォーマット７００は、時間および／または周波数が交互する方式で、ＣＱＩフィードバックの通信を提供する。周波数、周期性（例えば、Ｐ１＝１、Ｐ２＝２、Ｐ３＝２）および／または、各ＤＬキャリア・レポートのオフセット（例えばＯ１＝０、Ｏ２＝０、Ｏ３＝１）が定義されうる。周波数における連結は、すべてのＣＱＩフィードバック・レポートが、同じまたは類似の周期性および／またはオフセットを有する特別な場合でありうる。さらに、時間におけるサイクルもまた、すべてのＣＱＩフィードバック・レポートが、同じまたは類似の周期性を有するが異なるオフセットを有する特別な例でありうる。例えば、ＣＱＩレポート遅延および／またはオーバヘッドに応じるために、各キャリアに対する要件に適合するための柔軟性が提供されうる。さらに、明示的にレポートされていないすべてのキャリアにわたる広帯域ＣＱＩフィードバックの場合、このようなフィードバックは、キャリア毎の広帯域レポートから暗黙的には取得されない。さらに、異なるキャリアのＣＱＩフィードバックが、同じリソースであるが異なるオフセット／周期性をもって設定された場合、ときおり衝突が生じる可能性がある。この場合、どのキャリアが優先すべきかを確認するためにＲＲＣルールが利用されうる。
【００５５】
図８は、マルチキャリアＣＱＩフィードバックのため、さらに詳しくは、権利主張される主題と連携して利用するためのさらなる例示的なＣＱＩフィードバック・フォーマット８００を図示する。ＣＱＩフィードバック・フォーマット８００は、ＣＱＩレポートのために適用されるＰＵＣＣＨフォーマットでありうる。これは、一態様では、すべて／いくつかのＤＬキャリアのためのフィードバックを備える複数のＤＬキャリアのためのＣＱＩフィードバックを含む。各ＤＬ  ＣＱＩフィードバックは、同じ単一モードを用いて設定されうる。ＣＱＩフィードバック・インスタンスが連結されうる。広帯域ＣＱＩレポートは、各キャリアについて１つある複数の広帯域ＣＱＩレポートからなる。サブ帯域ＣＱＩレポートは、各キャリアについて１つある複数のサブ帯域ＣＱＩレポートからなる。（例えば、キャリアＣＱＩレポートのサブ帯域が望まれる場合、）明示的なキャリア情報が必要とされうる。キャリアの数に依存する複数のオプションが実現されうる。例えば、サブ帯域フィードバックの場合と同様の設定が定義されうる。さらなる例では、オプションが、（例えば、非定期的なレポートのために）ネットワークによって設定されたり、ＵＥによって選択されたり、広帯域モードによって識別されうる。レポートの例毎に連結されたＣＱＩにわたる共通符号化が利用されうる。態様によれば、ＰＵＳＣＨで送信された非定期的なフィードバックのために、特に、より大きなペイロード・サイズが適しうる。例えば、マルチキャリア動作のために、ＰＵＳＣＨにおける非定期的な方式における使用のために、定期的なＰＵＣＣＨ送信のためにモード１−１および／またはモード２−１が定義される。
【００５６】
図９は、（例えば、アクセス端末３０４のような）アクセス端末から、（例えば、基地局３０２のような）サービス提供基地局へとＣＱＩフィードバックを伝送するために、権利主張される主題によって有利に利用されうる通信フォーマット９００のさらなる例を例示する。通信フォーマット９００は、フィードバック・レポートの一部が、スケジュールされた各例のためにレポートされる、キャリア／サブ帯域サイクル方式で、マルチチャネル・フィードバックをレポートするために利用されうる。さらに詳しくは、通信フォーマット９００は、フィードバックのＰＵＣＣＨ送信のために利用され、従来サブ帯域がアドレスされるのと同様な方式で各ＤＬキャリアを取り扱う。定期的なレポートの場合、すべてのキャリアにわたる広帯域ＣＱＩフィードバック、各キャリアのための広帯域ＣＱＩフィードバック、および、各キャリアのためのサブ帯域ＣＱＩフィードバックが、一定の周期をもって送信されうる。
【００５７】
図１０は、権利主張される主題と連携して適用されうる例示的なグルーピング・スキーム１０００の代表を提供する。例示されるように、異なる周波数および異なる周波数帯域において（例えば、基地局３０２のような）サービス提供基地局によってブロードキャストされた（例えば、キャリア１、キャリア２、キャリア３、キャリア４、およびキャリア５のような）５つのＤＬキャリアが、（例えば、アクセス端末３０４のような）アクセス端末によって検出されうる。キャリア１、キャリア２、およびキャリア３は、周波数帯域Ａである第１の周波数帯域でブロードキャストされ、キャリア４およびキャリア５は、周波数帯域Ｂである第２の周波数帯域で送信されうる。さらに、アクセス端末によって検出されるように、周波数帯域Ａにおけるキャリア１およびキャリア２は、ＭＩＭＯ送信モードを用いており、周波数帯域Ａにおけるキャリア３は、ＳＩＭＯ送信モードを適用しており、周波数帯域Ｂにおけるキャリア４およびキャリア５は、ＳＩＭＯ送信モードを利用している。権利主張される主題のさまざまな態様によれば、特に、ＣＱＩフィードバックの目的で、（例えば、ＭＩＭＯ送信モードのような）類似の送信モードに少なくとも部分的に基づいて、周波数帯域Ａにおけるキャリア１およびキャリア２が、第１のキャリア・セットであるセット１にグループ化され、このグループ化またはキャリア・セットに関するサービス提供基地局へのＣＱＩフィードバックが、パラメータＸである設定パラメータの第１のセットを利用して設定されうる。ＳＩＭＯ送信キャリアである周波数帯域Ａにおけるキャリア３は、第２の別個のキャリア・セットであるセット２に関連付けられ、適切な設定パラメータであるパラメータＹが、キャリア３の目的のために、ＣＱＩフィードバックに適用されうる。同様にして、周波数帯域Ｂにおけるキャリア４およびキャリア５が、（例えば、ＳＩＭＯ送信モードのような）送信モードの類似性、および、周波数帯域の共通性（例えば、キャリア４とキャリア５との両方が周波数帯域Ｂに関連付けられる）に少なくとも部分的に基づいて、第３のキャリア・セット内にグループ化されうる。そして、これらＤＬキャリアに応答するＣＱＩフィードバック、および、これらＤＬキャリアのためのＣＱＩフィードバックが、第３の設定パラメータのセットであるパラメータＺを用いて設定されうる。
【００５８】
図１１を参照して、複数のＤＬキャリアからのＣＱＩフィードバックをセットにグループ化することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５９】
図１１を参照して、（例えば、ＭＩＭＯ送信、ＳＩＭＯ送信等のような）送信モードのような多くの要因および／または条件に依存して、複数のＤＬキャリアからのＣＱＩフィードバックをセットにグループ化する例示的な方法１１００が示されている。ここでは、セット内の具体的なＣＱＩ設定が適用されうる。方法１１００は、例えば送信モードのような１または複数の要因に少なくとも部分的に基づいてキャリア・セットが規定される１１０２で開始される。１１０４では、複数のＤＬキャリアがモニタされるか、および／または、規定されたキャリア・セットへグループ化されうる。（例えば、アクセス端末３０４のような）ユーザ機器によって適用されている送信モードに少なくとも部分的に基づいて、複数のＤＬキャリアが、異なるキャリア・セットへ割り当てられうるか、あるいは、複数および／または異なるＤＬキャリアのキャリア・セットへの関連付けが、その他いくつかの基準に基づきうる。１１０６では、規定されたキャリア・セットに関連付けられているか、あるいは、規定されたキャリア・セットに含まれているＤＬキャリアのうちの少なくとも１つのチャネル品質の測定がなされうる。限定することなく、または、一般性を失うこともなく、規定されたキャリア・セットに含まれるＤＬキャリアのうちの１つのチャネル品質の測定値は、規定されたキャリア・セットにバンドルされた、関連付けられた、あるいは、グループ化されたＤＬキャリア全体の姿または代表的な測定値として振る舞うことが認識されるべきである。１１０８では、キャリア・セットの代表的なＣＱＩが、（例えば基地局３０２のような）サービス提供基地局へディスパッチまたは送信されうる。限定することなく、また、一般性を失うこともなく、サービス提供基地局へ送り戻されたＣＱＩフィードバックは、サービス提供基地局から受信された代表的な、あるいは、ランダムに選択または識別されたＤＬキャリアに基づいていることが今一度念頭に置かれるべきである。代表的な、あるいは、ランダムに選択または識別されたＤＬは、全体として規定されたセットの代表でありうる。したがって、一般には、ＣＱＩフィードバックのために、キャリア・セットに含まれるすべてのＤＬキャリアの測定を行う必要はなく、ＣＱＩフィードバックの目的のためには、キャリア・セットに含まれるＤＬキャリアの（例えば、少なくとも１つの）代表的なサンプルの測定値で十分でありうる。
【００６０】
本明細書に記載された１または複数の態様によれば、フラッシュ信号のコンテキストにおいて干渉を多重化および／または管理するために電力およびフェーズのコヒーレンスを使用することに関して推論がなされうることが認識されるであろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６１】
図１２は、マルチチャネル無線通信環境においてＣＱＩフィードバックを有効にするアクセス端末３０４の例示１２００である。アクセス端末３０４は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１２０２を備えうる。受信機１２０２は、例えばＭＭＳＥ受信機であり、受信したシンボルを復調し、それらをチャネル推定のためにプロセッサ１２０６へ送る復調器１２０４を備えうる。プロセッサ１２０６は、受信機１２０２によって受信された情報の分析、および／または、送信機１２１４による送信のための情報の生成に特化されたプロセッサ、アクセス端末３０４の１または複数の構成要素を制御するプロセッサ、および／または、受信機１２０２によって受信された情報の分析、送信機１２１４による送信のための情報の生成、アクセス端末３０４の１または複数の構成要素の制御の両方を行うプロセッサでありうる。
【００６２】
アクセス端末３０４は、プロセッサ１２０６に動作可能に接続されたメモリ１２０８をさらに備える。このメモリは、送信されるべきデータ、受信したデータ、および、本明細書に記載されたさまざまな動作および機能を実行することに関連するその他任意の適切な情報を格納しうる。例えば、メモリ１２０８は、１または複数の基地局によって適用されるグループ特有のシグナリング制約を格納しうる。メモリ１２０８はさらに、リソース・ブロック割当を通信すること、および／または、受信した割当メッセージを分析するためにそのようなシグナリング制約を適用することのために使用されるシグナリング制約を識別することに関連付けられたプロトコルおよび／またはアルゴリズムを格納しうる。
【００６３】
本明細書に記載されたデータ・ストア（例えば、メモリ１２０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ１２０８は、限定される訳ではないが、これらおよびその他任意の適切なタイプのメモリを備えることが意図される。
【００６４】
受信機１２０２はさらに、図３のマルチキャリア・フィードバック構成要素３０６に実質的に類似しうるマルチキャリア・フィードバック構成要素１２０１に動作可能に接続されている。マルチキャリア・フィードバック構成要素１２１０は、複数のＤＬキャリアからのＣＱＩフィードバックを、（例えば、ＭＩＭＯやＳＩＭＯ等のような）送信モードを含む多くの要因に依存するセットへグループ化するために適用されうる。アクセス端末３０４はさらに、変調機１２１２と、例えば、基地局や、他のアクセス端末等に信号を送信する送信機１２１４とを備える。プロセッサ１２０６と別に示されているが、マルチキャリア・フィードバック構成要素１２１０および／または変調器１２１２は、プロセッサ１２０６または（図示しない）多くのプロセッサの一部でありうることが認識されるべきである。
【００６５】
図１３は、無線通信システム１３００の例を示す。無線通信システム１３００は、簡潔さの目的のため、１つの基地局１３１０と１つのアクセス端末１３５０しか示していない。しかしながら、システム１３００は、１より多い基地局、および／または、１より多いアクセス端末を含みうることが認識されるべきである。ここで、追加の基地局および／またはアクセス端末は、以下に示す基地局１３１０およびアクセス端末１３５０の例と実質的に類似しうるか、あるいは、異なりうる。さらに、基地局１３１０および／またはアクセス端末１３５０は、無線通信を容易にするために、本明細書に記載されたシステム（図１乃至４、１２および１４）および／または方法（図１１）を適用しうることが認識されるべきである。
【００６６】
基地局１３１０では、多くのデータ・ストリームのためのトラフィック・データが、データ・ソース１３１２から送信（ＴＸ）データ・プロセッサ１３１４へ提供される。一例によれば、おのおののデータ・ストリームが、それぞれのアンテナを介して送信される。ＴＸデータ・プロセッサ１３１４は、トラフィック・データ・ストリームをフォーマットし、このデータ・ストリームのために選択された特定の符号化スキームに基づいて符号化し、インタリーブして、符号化されたデータを提供する。
【００６７】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１３５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１３３０によって実行または提供される命令によって決定されうる。
【００６８】
データ・ストリームの変調シンボルは、（例えば、ＯＦＤＭのために）変調シンボルを処理するＴＸ  ＭＩＭＯプロセッサ１３２０に提供される。ＴＸ  ＭＩＭＯプロセッサ１３２０はその後、ＮＴ個のシンボル・ストリームを、ＮＴ個の送信機（ＴＭＴＲ）１３２２ａ乃至１３２２ｔへ提供する。さまざまな実施形態において、ＴＸ  ＭＩＭＯプロセッサ１３２０は、データ・ストリームのシンボル、および、そのシンボルが送信されるアンテナへ、ビームフォーミング重みを適用する。
【００６９】
おのおのの送信機１３２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１３２２ａ乃至１３２２ｔからのＮＴ個の変調信号は、ＮＴ個のアンテナ１３２４ａ乃至１３２４ｔそれぞれから送信される。
【００７０】
アクセス端末１３５０では、送信された変調信号が、ＮＲ個のアンテナ１３５２ａ乃至１３５２ｒによって受信され、おのおのの受信機１３５２から受信された信号が、それぞれの受信機（ＲＣＶＲ）１３５４ａ乃至１３５４ｒへ提供される。おのおのの受信機１３５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７１】
ＲＸデータ・プロセッサ１３６０は、ＮＲ個の受信機１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１３６０は、検出されたおのおののシンボル・ストリームを復調し、デインタリーブし、復号して、そのデータ・ストリームのためのトラフィック・データを復元する。ＲＸデータ・プロセッサ１３６０による処理は、基地局１３１０におけるＴＸ  ＭＩＭＯプロセッサ１３２０およびＴＸデータ・プロセッサ１３１４によって実行されるものと相補的である。
【００７２】
プロセッサ１３７０は、上述したように、利用可能などの技術を利用するのかを定期的に決定する。さらに、プロセッサ１３７０は、行列インデクス部およびランク値部を備えた逆方向リンク・メッセージを規定することができる。
【００７３】
逆方向リンク・メッセージは、通信リンクおよび／または受信されたデータ・ストリームに関するさまざまなタイプの情報を備えうる。逆方向リンク・メッセージは、データ・ソース１３３６から多くのデータ・ストリームのトラフィック・データをも受信するＴＸデータ・プロセッサ１３３８によって処理され、変調器１３８０によって変調され、送信機１３５４ａ乃至１３５４ｒによって調整され、基地局１３１０へ送り戻される。
【００７４】
基地局１３１０では、アクセス端末１３５０からの変調信号が、アンテナ１３２４によって受信され、受信機１３２２によって調整され、復調器１３４０によって復調され、ＲＸデータ・プロセッサ１３４２によって処理されることにより、アクセス端末１３５０によって送信された逆方向リンク・メッセージが抽出される。さらに、プロセッサ１３３０は、ビームフォーミング重みを決定するためにどの事前符号化行列を使用するかを決定するために、この抽出されたメッセージを処理する。
【００７５】
プロセッサ１３３０およびプロセッサ１３７０は、基地局１３１０およびアクセス端末１３５０それぞれにおける動作を指示（例えば、制御、調整、管理等）する。プロセッサ１３３０およびプロセッサ１３７０はそれぞれ、プログラム・コードおよびデータを格納するメモリ１３３２およびメモリ１３７２に関連付けられうる。プロセッサ１３３０およびプロセッサ１３７０はまた、アップリンクおよびダウンリンクそれぞれのための周波数およびインパルス応答推定値を導出する計算をも実行する。
【００７６】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００７７】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。
【００７８】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００７９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００８０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８２】
図１４に移って、マルチチャネル無線通信環境においてマルチチャネル・フィードバックを容易および／または有効にするシステム１４００が例示される。システム１４００は、例えば、アクセス端末内に存在しうる。図示するように、システム１４００は、プロセッサ、ソフトウェア、または（例えば、ファームウェアのような）これらの組み合わせによって実現される機能を表しうる。システム１４００は、連携して動作しうる電子構成要素の論理グループ１４０２を含む。論理グループ１４０２は、キャリア・セットを規定するための電子構成要素１４０４を含みうる。さらに、論理グループ１４０２は、１または複数の基準の共通性すなわち類似性に基づいて、キャリアをキャリア・セットへグループ化するための電子構成要素１４０６を含みうる。さらに、論理グループ１４０２は、キャリア・セットに関連付けられたチャネルのチャネル品質を測定するための電子構成要素１４０８を含みうる。さらに、論理グループ１４０２は、キャリア・セット全体を代表するＣＱＩを送信するための電子構成要素１４１０を含みうる。さらに、システム１４００は、電子構成要素１４０４、１４０６、１４０８、１４１０に関連付けられた機能を実行するための命令群を保持するメモリ１４１２を含みうる。メモリ１４１２の外側にあるとして示されているが、電子構成要素１４０４、１４０６、１４０８、１４１０は、メモリ１４１２内に存在しうることが理解されるべきである。
【００８３】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2015046894.tif 000003
【図２】
2015046894.tif 000004
【図３】
2015046894.tif 000005
【図４】
2015046894.tif 000006
【図５】
2015046894.tif 000007
【図６】
2015046894.tif 000008
【図７】
2015046894.tif 000009
【図８】
2015046894.tif 000010
【図９】
2015046894.tif 000011
【図１０】
2015046894.tif 000012
【図１１】
2015046894.tif 000013
【図１２】
2015046894.tif 000014
【図１３】
2015046894.tif 000015
【図１４】
2015046894.tif 000016
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
マルチチャネル無線通信環境においてマルチチャネル・フィードバックを有効にする方法であって、
キャリア・セットを規定することと、
前記キャリア・セットへキャリアをグループ化することと、
前記キャリアのチャネル品質を測定することと、
前記キャリア・セットのチャネル品質インジケータ（ＣＱＩ）を送信することとを備え、
前記ＣＱＩは、前記キャリアのチャネル品質に少なくとも部分的に基づいている方法。
【手続補正２】
【補正対象書類名】明細書
【補正対象項目名】００８３
【補正方法】変更
【補正の内容】
【００８３】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］
マルチチャネル無線通信環境においてマルチチャネル・フィードバックを有効にする方法であって、
キャリア・セットを規定することと、
前記キャリア・セットへキャリアをグループ化することと、
前記キャリアのチャネル品質を測定することと、
前記キャリア・セットのチャネル品質インジケータ（ＣＱＩ）を送信することとを備え、
前記ＣＱＩは、前記キャリアのチャネル品質に少なくとも部分的に基づいている方法。
［Ｃ２］
前記グループ化することはさらに、アクセス端末への伝送中、前記キャリアが、複数入力複数出力（ＭＩＭＯ）送信パラダイムを適用していたか、あるいは、単一入力複数出力（ＳＩＭＯ）送信パラダイムを利用していたかを確認することを備えるＣ１に記載の方法。
［Ｃ３］
前記グループ化することはさらに、前記キャリアがアクセス端末において受信された周波数帯域を識別することを備えるＣ１に記載の方法。
［Ｃ４］
前記グループ化することはさらに、前記キャリアが基地局から受信された周波数帯域または送信パラダイムに少なくとも部分的に基づいて前記キャリア・セットへキャリアを割り当てることを備えるＣ１に記載の方法。
［Ｃ５］
前記規定することはさらに、前記キャリアによって利用されている周波数帯域または送信パラダイムに少なくとも部分的に基づいて前記キャリア・セットを生成することを備えるＣ１に記載の方法。
［Ｃ６］
前記キャリアをサービス提供基地局から受信することをさらに備えるＣ１に記載の方法。
［Ｃ７］
前記測定することはさらに、前記キャリア・セットに含まれるキャリアのサブセットを、前記キャリア・セットの代表として選択することを備えるＣ１に記載の方法。
［Ｃ８］
前記キャリア・セットに関連付けられた単一のキャリアを識別することと、
前記ＣＱＩを生成するために、前記キャリア・セットに含まれるキャリア全体の代表として、前記単一のキャリアを利用することと
をさらに備えるＣ１に記載の方法。
［Ｃ９］
無線通信装置であって、
キャリア・セットを生成することと、
前記キャリア・セットに属するものとしてキャリアを分類することと、
前記キャリアのチャネル品質を測定するために、前記キャリア・セットに含まれるすべてのキャリアの代表として、前記キャリア・セットに含まれるキャリアのサブセットを利用することと、
前記キャリアのサブセットのチャネル品質に少なくとも部分的に基づいて、チャネル品質インジケータ（ＣＱＩ）を伝搬することと
に関連する命令群を保持するメモリと、
前記メモリに接続され、前記メモリに保持された命令群を実行するように構成されたプロセッサと
を備える無線通信装置。
［Ｃ１０］
前記メモリはさらに、前記キャリアのサブセットの送信が、複数入力複数出力（ＭＩＭＯ）送信スキームを利用して有効とされたか、あるいは、単一入力複数出力（ＳＩＭＯ）送信スキームを利用して有効とされたかを確認することに関連する命令群を保持するＣ９に記載の無線通信装置。
［Ｃ１１］
前記メモリはさらに、前記キャリアのサブセットがサービス提供基地局によってブロードキャストされた周波数帯域を確認することに関連する命令群を保持するＣ９に記載の無線通信装置。
［Ｃ１２］
前記メモリはさらに、前記キャリアのサブセットが、サービス提供基地局からディスパッチされた周波数帯域または送信スキームに少なくとも部分的に基づいて前記キャリアのサブセットを分類することに関連する命令群を保持するＣ９に記載の無線通信装置。
［Ｃ１３］
前記メモリはさらに、前記キャリアのサブセットが、アクセス端末において受信された周波数帯域または送信スキームに少なくとも部分的に基づいて前記キャリア・セットを生成することに関連する命令群を保持するＣ９に記載の無線通信装置。
［Ｃ１４］
前記メモリはさらに、前記キャリアのサブセット内に含まれた少なくとも１つのキャリアがアクセス端末において受信されると、前記キャリアのサブセットのチャネル品質を判定することに関連する命令群を保持するＣ９に記載の無線通信装置。
［Ｃ１５］
マルチチャネル無線通信環境においてマルチチャネル・フィードバックを有効または容易にする無線通信装置であって、
キャリア・セットを規定する手段と、
前記キャリア・セットへキャリアをグループ化する手段と、
前記キャリアのチャネル品質を測定する手段と、
前記キャリアのチャネル品質に少なくとも部分的に基づく、前記キャリア・セットのチャネル品質インジケータ（ＣＱＩ）を送信する手段と
を備える無線通信装置。
［Ｃ１６］
前記グループ化する手段は、前記キャリアが送信された周波数帯域または送信モードに少なくとも部分的に基づいて前記キャリアを区別するＣ１５に記載の無線通信装置。
［Ｃ１７］
前記グループ化する手段は、前記キャリアが送信された周波数帯域または送信モードに少なくとも部分的に基づいて、前記キャリア・セットへ前記キャリアを割り当てるＣ１５に記載の無線通信装置。
［Ｃ１８］
前記規定する手段は、前記キャリアが受信された周波数帯域または送信モードに少なくとも部分的に基づいて前記キャリア・セットを生成するＣ１５に記載の無線通信装置。
［Ｃ１９］
前記測定する手段は、前記キャリア・セットに関連付けられたキャリアのサブセットを、前記キャリア・セット内のすべてのキャリアの代表として識別するＣ１５に記載の無線通信装置。
［Ｃ２０］
前記送信する手段は、前記キャリアのサブセットに含まれる単一のキャリアに基づいて前記ＣＱＩをディスパッチするＣ１９に記載の無線通信装置。
［Ｃ２１］
前記ＣＱＩは、前記キャリア・セットに含まれるすべてのキャリアを代表するＣ２０に記載の無線通信装置。
［Ｃ２２］
コンピュータ読取可能媒体を備えたコンピュータ・プログラム製品であって、
前記コンピュータ読取可能媒体は、
キャリア・セットを規定するためのコードと、
前記キャリア・セットへキャリアをグループ化するためのコードと、
前記キャリアのチャネル品質を測定するためのコードと、
前記キャリアのチャネル品質に基づく、前記キャリア・セットのチャネル品質インジケータ（ＣＱＩ）を送信するためのコードと
を備えるコンピュータ・プログラム製品。
［Ｃ２３］
前記コンピュータ読取可能媒体はさらに、第１の送信モードを用いて受信されたキャリアと、第２の送信モードを用いて受信されたキャリアとを区別するためのコードを備えるＣ２２に記載のコンピュータ・プログラム製品。
［Ｃ２４］
前記コンピュータ読取可能媒体はさらに、第１の周波数帯域で送信されたキャリアと、第２の周波数帯域で送信されたキャリアとを区別するためのコードを備えるＣ２２に記載のコンピュータ・プログラム製品。
［Ｃ２５］
前記コンピュータ読取可能媒体はさらに、第１の送信モードまたは第２の送信モードを利用して送信されているキャリアに少なくとも部分的に基づいて前記キャリア・セットを生成するためのコードを備えるＣ２２に記載のコンピュータ・プログラム製品。
［Ｃ２６］
前記コンピュータ読取可能媒体はさらに、第１の周波数帯域または第２の周波数帯域で受信されたキャリアに少なくとも部分的に基づいて前記キャリア・セットを生成するためのコードを備えるＣ２２に記載のコンピュータ・プログラム製品。
［Ｃ２７］
前記コンピュータ読取可能媒体はさらに、前記キャリア・セットに含まれるキャリアのサブセットから前記ＣＱＩを判定するためのコードを備え、
前記キャリアのサブセットは、前記キャリア・セット内のすべてのキャリアを代表するＣ２２に記載のコンピュータ・プログラム製品。
［Ｃ２８］
無線通信装置であって、
キャリア・セットを規定し、
前記キャリア・セットへキャリアを割り当て、
前記キャリアのチャネル品質を測定するために、前記キャリア・セットに含まれたすべてのキャリアの代表として、前記キャリアを適用し、
前記キャリアのチャネル品質に少なくとも部分的に基づいて、チャネル品質インジケータ（ＣＱＩ）を配信する
ように構成されたプロセッサを備える無線通信装置。
［Ｃ２９］
前記プロセッサはさらに、前記キャリアの送信が、複数入力複数出力（ＭＩＭＯ）送信スキームか、単一入力複数出力（ＳＩＭＯ）送信スキームか、複数ユーザ複数入力複数出力（ＭＵ−ＭＩＭＯ）送信スキームか、あるいは、コオペラティブ(cooperative)・マルチポイント送信スキームを用いて有効とされたか判定するように構成されたＣ２８に記載の無線通信装置。
［Ｃ３０］
前記プロセッサはさらに、前記キャリアがサービス提供基地局によってブロードキャストされた周波数帯域を識別するように構成されたＣ２８に記載の無線通信装置。
［Ｃ３１］
前記プロセッサはさらに、前記キャリアがサービス提供基地局からディスパッチされた周波数帯域または送信スキームに少なくとも部分的に基づいて前記キャリアを分類するように構成されたＣ２８に記載の無線通信装置。
［Ｃ３２］
前記プロセッサはさらに、前記キャリアがアクセス端末において受信された周波数帯域または送信スキームに少なくとも部分的に基づいて前記キャリア・セットを生成するように構成されたＣ２８に記載の無線通信装置。
［Ｃ３３］
前記プロセッサはさらに、アクセス端末において、前記キャリアの受信時に、前記キャリアのチャネル品質を確認するように構成されたＣ２８に記載の無線通信装置。
［Ｃ３４］
前記プロセッサはさらに、ランク情報、事前符号化情報、チャネル・ディレクション情報（ＣＤＩ）、または、前記キャリアによって経験された干渉条件またはチャネル条件に関する明示的または暗黙的なフィードバックを含むマルチチャネル・フィードバックをディスパッチするように構成されたＣ２８に記載の無線通信装置。
［Ｃ３５］
前記プロセッサはさらに、前記無線通信装置における前記キャリアの受信前に、ネットワーク・パラメータ、異なるキャリアのチャネル特性、または、前記キャリアによって経験された干渉量に少なくとも部分的に基づいて前記キャリア・セットのメンバシップを確認するように構成されたＣ２８に記載の無線通信装置。
［Ｃ３６］
前記プロセッサはさらに、前記無線通信装置における受信時に、前記キャリアによって経験されたものと類似の経路喪失特性または類似の干渉レベルに少なくとも部分的に基づいて前記キャリア・セットのメンバシップを判定するように構成されたＣ２８に記載の無線通信装置。
［Ｃ３７］
前記プロセッサはさらに、前記キャリア・セットから除外されたキャリアよりも正確かつ大規模なフィードバックを前記キャリアが必要とすることを示す、サービス提供基地局からのインジケーションに少なくとも部分的に基づいて、前記キャリアが、前記キャリア・セットに属するものとして識別するように構成されたＣ２８に記載の無線通信装置。
【外国語明細書】
2015046894000001.pdf